(57)【要約】      （修正有） 【課題】操作レバーを双方解除操作可能にし、その双方解除操作の操作力にバラツキを防止できてコスト低減を図る。 【解決手段】所定の半径で円弧状に穴明けされるインナーおよびアウター側ガイド・スロット２０、２１を有し、シート・フレーム３０に固定的に取り付けられるレバー・ブラケット１１と、インナーおよびアウター側ノブ２４、２５を有し、インナーおよびアウター側ピン２６、２７を突き出し、そして、シートのインナーおよびアウター側にそのインナーおよびアウター側ノブ２４、２５を位置させ、そのインナーおよびアウター側ガイド・スロット２０、２１にそのインナーおよびアウター側ピン２６、２７をはめ合わせてそのレバー・ブラケット１１に支持され、ロック爪をロック外し可能にする双方操作レバー１２と、そのシート・フレーム３０および双方操作レバー１２の間に配置されるインナーおよびアウター側リターン・スプリング１３、１４とを含む。 【選択図】図１
2006321311.tif 000002
【特許請求の範囲】
【請求項１】
長さ方向のブラケット中間位置を中心として所定の半径で円弧状に穴明けされるインナーおよびアウター側ガイド・スロットを有し、そして、所定の箇所においてシート・フレームのインナーおよびアウター側間に渡されてそのシート・フレームに固定的に取り付けられるレバー・ブラケットと、インナーおよびアウター側レバー・エンドにインナーおよびアウター側ノブを有し、そのインナーおよびアウター側ガイド・スロットに対応してインナーおよびアウター側ピンを突き出し、そして、シートのインナーおよびアウター側にそのインナーおよびアウター側ノブを位置させ、そのインナーおよびアウター側ガイド・スロットにそのインナーおよびアウター側ピンを対応的にはめ合わせてそのレバー・ブラケットに支持され、そして、ロック爪をロック外し可能にする双方操作レバーと、そのシート・フレームおよび双方操作レバーの間に配置されるインナーおよびアウター側リターン・スプリングとを含む自動車シートのロック機構に用いる操作機構。 
【発明の詳細な説明】
【技術分野】
【０００１】
この発明は、自動車シートのロック機構に用いる操作機構に関し、特に、シート・クッション上にシート・バックを前倒し可能にする折りたたみシートや方向を変換可能にする回転シートなどのロック機構を解除する操作機構に関する。 
【背景技術】
【０００２】
通常、シート・クッション上にシート・バックを前倒し可能にする自動車の折りたたみシートでは、そのシート・バックが起こされてロック機構でそのシート・クッションに倒れ止めされ、また、そのロック機構が操作機構で解除されると、すなわち、ロック外しされると、そのシート・バックがそのシート・クッション上に前倒しされる。 
その操作機構は、インナー側操作レバーおよびアウター側操作レバーを互いに連結する連結レバー機構では、その一方の操作レバーにケーブルを、その他方の操作レバーにリターン・スプリングをそれぞれ連結させ、そして、ロック爪にそのケーブルの先端を連結させてそのインナー側操作レバーでも、また、そのアウター側操作レバーでも解除操作可能にされ、一方、インナー側操作レバーおよびアウター側操作レバーに二叉ケーブル端を対応的に連結する二叉ケーブル機構では、その両操作レバーのそれぞれにリターン・スプリングを連結し、そして、ロック爪にその二叉ケーブルの先端を連結させてそのインナー側操作レバーでもそのアウター側操作レバーでも解除操作可能にされる。 
その連結レバー型操作機構では、そのインナー側操作レバーおよびアウター操作レバーで操作力にバラツキがあり、また、その二叉ケーブル型操作機構では、その二叉ケーブルの内部抵抗で操作力が増大されるに加えて、コストが高く付いた。 
【特許文献１】特開平１０−１５７４９９号公報
【発明の開示】
【発明が解決しようとする課題】
【０００３】
この発明の課題は、操作レバーに簡単な構造を採って双方解除操作可能にし、そして、その双方解除操作の操作力にバラツキを防止できてコスト低減を図るところの自動車シートのロック機構に用いる操作機構の提供にある。 
【課題を解決するための手段】
【０００４】
この発明は、長さ方向のブラケット中間位置を中心として所定の半径で円弧状に穴明けされるインナーおよびアウター側ガイド・スロットを有し、そして、所定の箇所においてシート・フレームのインナーおよびアウター側間に渡されてそのシート・フレームに固定的に取り付けられるレバー・ブラケットと、インナーおよびアウター側レバー・エンドにインナーおよびアウター側ノブを有し、そのインナーおよびアウター側ガイド・スロットに対応してインナーおよびアウター側ピンを突き出し、そして、シートのインナーおよびアウター側にそのインナーおよびアウター側ノブを位置させ、そのインナーおよびアウター側ガイド・スロットにそのインナーおよびアウター側ピンを対応的にはめ合わせてそのレバー・ブラケットに支持され、そして、ロック爪をロック外し可能にする双方操作レバーと、そのシート・フレームおよび双方操作レバーの間に配置されるインナーおよびアウター側リターン・スプリングとを含む。 
【発明の効果】
【０００５】
この発明では、双方操作レバーが１本のレバーの両端のそれぞれにノブを備え、その両ノブをシート両側に対応的に位置させて長さ方向の２箇所の支点でレバー・ブラケットに支持され、レバー中間に、すなわちその２箇所の支点間の中間にケーブルを取り付け可能にし、そして、操作時、その一方のノブにより遠い側の支点を回転中心としてそのケーブルを引き上げ、また、その他方ノブではその一方のノブと逆になる支点を回転中心としてそのケーブルを引き上げる構造を採るので、操作レバーが簡単な構造になって双方操作が可能になり、そして、双方操作に操作力のバラツキが防止されてコストが低減される。
【発明を実施するための最良の形態】
【０００６】
そのレバー・ブラケットが、長さ方向のブラケット中間位置を中心として所定の半径で円弧状に穴明けされるインナーおよびアウター側ガイド・スロットを有し、そして、所定の箇所においてシート・フレームのインナーおよびアウター側間に渡されてそのシート・フレームに固定的に取り付けられ、また、その双方操作レバーが、１本のレバーであり、インナーおよびアウター側レバー・エンドにインナーおよびアウター側ノブを対応的に有し、そのインナーおよびアウター側ガイド・スロットに対応してインナーおよびアウター側ピンを突き出し、そして、シートのインナーおよびアウター側にそのインナーおよびアウター側ノブを位置させ、そのインナーおよびアウター側ガイド・スロットにそのインナーおよびアウター側ピンを対応的にはめ合わせ、そのインナーおよびアウター側ガイド・スロットとそのインナーおよびアウター側ピンとによって設定される長さ方向の２箇所の支点でそのレバー・ブラケットに支持され、レバー中間に、すなわち、その２箇所の支点間の中間にケーブルを取り付け可能にし、そして、操作時、そのインナー側ノブによる解除操作では、遠い側のそのアウター側ピンによる支点を回転中心としてそのケーブルを引き上げ、また、そのアウター側ノブによる解除操作では、そのインナー側ノブと逆になって遠い側のそのインナー側ピンによる支点を回転中心としてそのケーブルを引き上げるところの双方操作を可能にする。 
【実施例１】
【０００７】
以下、特定されて図示された具体例に基づいて、この発明の自動車シートのロック機構に用いる操作機構を説明するに、図１は、ワゴンのセカンド・シートに活用されるところのこの発明の自動車シートのロック機構を用いる操作機構の具体例１０を示し、そして、そのセカンド・シートは、そのワゴンのフロアに据え付けられるシート・クッション（図示せず）、そのシート・クッション上に前倒し可能に支持されるシート・バック、およびそのシート・バックに取り付けられるヘッドレスト（図示せず）などから組み立てられる。そのシート・バックは、起こされてロック機構（図示せず）でそのシート・クッションに倒れ止めされ、また、そのロック機構がその操作機構１０で解除されると、そのシート・バックは、そのシート・クッション上に前倒しされる。 
【０００８】
その操作機構１０は、レバー・ブラケット１１、双方操作レバー１２、インナーおよびアウター側リターン・スプリング１３、１４、およびケーブル１５などで組み立てられる。そのレバー・ブラケット１１は、板状構造で長さ方向のブラケット中間位置を中心として所定の半径で円弧状に穴明けされるインナーおよびアウター側ガイド・スロット２０、２１を有し、そして、所定の箇所においてシート・バック・フレーム３０のインナーおよびアウター側３１、３２間に渡されてそのシート・バック・フレーム３０に固定的に取り付けられる。 
【０００９】
その双方操作レバー１２は、そのシート・バック・フレーム３０のそのインナーおよびアウター側３１、３２に伸びる１本の板状レバーであり、インナーおよびアウター側レバー・エンド２２、２３にインナーおよびアウター側ノブ２４、２５を対応的に有し、そのインナーおよびアウター側ガイド・スロット２０、２１に対応して裏面にインナーおよびアウター側ピン２６、２７を突き出し、そして、そのシート・バックのインナーおよびアウター側にそのインナーおよびアウター側ノブ２４、２５を対応的に位置させ、そのインナーおよびアウター側ガイド・スロット２０、２１にそのインナーおよびアウター側ピン２６、２７を対応的にはめ合わせ、そして、そのインナーおよびアウター側ガイド・スロット２０、２１とそのインナーおよびアウター側ガイド・スロット２０、２１に対応的にはめ合わせられるそのインナーおよびアウター側ピン２６、２７とによって設定される長さ方向の２箇所の支点でそのレバー・ブラケット１１に上下方向に揺動可能に支持されてそのロック機構のロック爪（図示せず）をロック外しする操作を可能にする。 
【００１０】
そのインナーおよびアウター側リターン・スプリング１３、１４は、そのインナーおよびアウター側ピン２６、２７に対応してそのシート・バック・フレーム３０とその双方操作レバー１２との間に配置される。 
【００１１】
そのケーブル１５は、その双方操作レバー１２の長さ方向の中間に、すなわち、その２箇所の支点間の中間に一端を、そのロック機構のそのロック爪に他端をそれぞれ連結してそのロック爪をロック外し可能にする。 
【００１２】
このセカンド・シートのシート・バックにおいて、３３、３４はインナーおよびアウター側ノブ・ガード・フレーム・メンバーである。 
【００１３】
したがって、この操作機構１０では、その双方操作レバー１２は、そのインナー側ノブ２４による解除操作では遠い側のそのアウター側ピン２７による支点を回転中心としてそのケーブル１５を引き上げてそのロック機構のそのロック爪をロック外しする。また、その双方操作レバー１２は、そのアウター側ノブ２５による解除操作ではそのインナー側ノブ２４の場合と逆になって遠い側のそのインナー側ピン２６による支点を回転中心としてそのケーブル１５を引き上げてそのロック機構のそのロック爪をロック外しする。そのように、この操作機構１０では、その双方操作レバー１２が２箇所の支点を選択的に活用可能にしてレバー中間にそのケーブル１５を連結することによって１本のレバーで双方解除操作が可能になり、その操作レバー１２が簡単な構造になり、そして、その双方解除操作に操作力のバラツキが防止されてコストが低減される。勿論、この操作機構１０は、自動車の回転シートのロック機構にも適用できる。 
【００１４】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００１５】
上述から理解されるように、この発明の自動車シートのロック機構に用いる操作機構は、長さ方向のブラケット中間位置を中心として所定の半径で円弧状に穴明けされるインナーおよびアウター側ガイド・スロットを有し、そして、所定の箇所においてシート・フレームのインナーおよびアウター側間に渡されてそのシート・フレームに固定的に取り付けられるレバー・ブラケットと、インナーおよびアウター側レバー・エンドにインナーおよびアウター側ノブを有し、そのインナーおよびアウター側ガイド・スロットに対応してインナーおよびアウター側ピンを突き出し、そして、シートのインナーおよびアウター側にそのインナーおよびアウター側ノブを位置させ、そのインナーおよびアウター側ガイド・スロットにそのインナーおよびアウター側ピンを対応的にはめ合わせてそのレバー・ブラケットに支持され、そして、ロック爪をロック外し可能にする双方操作レバーと、そのシート・フレームおよび双方操作レバーの間に配置されるインナーおよびアウター側リターン・スプリングとを含む自動車シートのロック機構に用いる操作機構では、その操作レバーがそのインナーおよびアウター側ガイド・スロットに対応的にはめ合わせられるそのインナーおよびアウター側ピンによる長さ方向の２箇所の支点を回転中心として選択的に活用可能になることによって簡単な構造になり、すなわち、１本のレバー構造になって双方解除操作が可能になり、その双方解除操作において操作力のバラツキが回避され、そして、コストが低減され、その結果、自動車シート、特に、折りたたみシートや回転シートなどにとって非常に有用で実用的である。 
【図面の簡単な説明】
【００１６】
【図１】ワゴンのセカンド・シートに活用されるところのこの発明の自動車シートのロック機構に用いる操作機構の具体例を示した正面図である。
【符号の説明】
【００１７】
１０    操作機構 
１１    レバー・ブラケット 
１２    双方操作レバー 
１３    インナー側リターン・スプリング 
１４    アウター側リターン・スプリング 
１５    ケーブル 
２０    インナー側ガイド・スロット 
２１    アウター側ガイド・スロット 
２２    インナー側レバー・エンド 
２３    アウター側レバー・エンド 
２４    インナー側ノブ 
２５    アウター側ノブ 
２６    インナー側ピン 
２７    アウター側ピン 
３０    シート・バック・フレーム 
３１    インナー側 
３２    アウター側 
【図１】
2006321311.tif 000003